(57)【特許請求の範囲】
【請求項１】
相互に伝送ケーブルにより接続された少なくとも２台のサービス多重化装置から構成される光分岐挿入装置であって、
前記各サービス多重化装置は、複数のクライアント装置のデータプロトコルにそれぞれ対応した複数のサービスカードが装着され、
Ｎは２以上の自然数であるとして、前記各サービス多重化装置は、
各クライアント装置からのデータを前記サービスカードから受信して所定のフレームに多重化して伝送する手段と、
多重化されて伝送されてきた所定のフレームの信号を分離して前記各クライアント装置に伝送する手段と、
装着された合計Ｎ台のサービスカードおよびフレーム多重／分離カードからのデータを、予め割り付けられたタイムスロットで選択することにより多重化して前記伝送ケーブルにより接続された他方のサービス多重化装置に送信し、前記他方のサービス多重化装置から受信したデータを予め割り付けられたタイムスロット毎に分配して、Ｎ台の前記複数のサービスカードおよびフレーム多重／分離カードにそれぞれ送信するＮ：１タイムスロット選択／分配手段と、
を備える、光分岐挿入装置。
【請求項２】
相互に伝送ケーブルにより接続された複数のサービス多重化装置から構成される光分岐挿入装置であって、
前記各サービス多重化装置は、複数のクライアント装置のデータプロトコルにそれぞれ対応した複数のサービスカードが装着され、前記各クライアント装置からのデータを前記サービスカードから受信して所定のフレームに多重化して伝送する手段と、多重化されて伝送されてきた所定のフレームの信号を分離して前記各クライアント装置に伝送する手段と、を備え、
Ｎは２以上の自然数であるとして、前記複数のサービス多重化装置のうちの少なくとも２台のサービス多重化装置は、それぞれ装着された合計Ｎ台のサービスカードおよびフレーム多重／分離カードからのデータを、予め割り付けられたタイムスロットで選択することにより多重化して前記伝送ケーブルにより接続された他方のサービス多重化装置に送信し、前記他方のサービス多重化装置から受信したデータを予め割り付けられたタイムスロット毎に分配して、Ｎ台の前記複数のサービスカードおよびフレーム多重／分離カードにそれぞれ送信するＮ×（Ｍ−１）切り替え手段を備え、
前記複数のサービス多重化装置のうちの残りのサービス多重化装置は、装着されたＮ台のサービスカードからのデータを、予め割り付けられたタイムスロットで選択することにより多重化して前記伝送ケーブルにより接続された他のサービス多重化装置に送信し、前記他のサービス多重化装置から受信したデータを予め割り付けられたタイムスロット毎に分配して、Ｎ台の前記複数のサービスカードにそれぞれ送信するＮ×（Ｍ−１）切り替え手段を備えたことを特徴とするサービス多重化システム。
【請求項３】
前記所定のフレームがＳＤＨフレームである請求項１または２に記載の光分岐挿入装置。
【請求項４】
前記フレーム多重／分離カードが、ＯＣ−４８多重／分離カードである請求項１乃至３のいずれか１項記載の光分岐挿入装置。
【発明の詳細な説明】
【０００１】
【発明の属する技術分野】
本発明は、コンピュータ等のクライアント装置からのデータをＳＯＮＥＴ(Synchronous Optical Network)／ＳＤＨ(Synchronous Digital Hierarchy)フレーム等の所定のフレームに多重化して伝送し、多重化されて伝送されてきたＳＯＮＥＴ／ＳＤＨフレーム等の所定のフレームの信号を分離して各クライアント装置に伝送するためのサービス多重化装置に関し、特に、このようなサービス多重化装置を複数台配置して構成された光挿入分岐装置（ＡＤＭ装置）に関する。
【０００２】
【従来の技術】
近年のインターネットの普及によるマルチメディアサービスの急速な広がりと共に、データトラフィックは急増しており、これらのサービスを提供するＳＯＮＥＴ／ＳＤＨネットワークの整備は一層加速している。ＳＯＮＥＴ／ＳＤＨネットワークによれば、国際的に統一された多重化階梯にしたがって多数の信号を効率的に多重して高速で長距離伝送することができる。
【０００３】
このようなＳＯＮＥＴ／ＳＤＨネットワークを構成するシステムの一例を図６に示す。この図６に示したシステムでは、２つのサービス多重化装置１０1、１０2がＳＯＮＥＴ／ＳＤＨ伝送路を介して接続されている。そして、サービス多重化装置１０1、２０2は、それぞれ複数のクライアント装置２０1、２０2からのデータをＳＯＮＥＴ／ＳＤＨフレームに多重してＳＯＮＥＴ／ＳＤＨ伝送路に送信し、またＳＯＮＥＴ／ＳＤＨ伝送路から受信した信号を分離して各クライアント装置２０1、２０2に送信している。
【０００４】
このような従来のサービス多重化装置１０1の構成を図７に示す。この従来のサービス多重化装置１０1は、図７に示すように、ＦＣ（ファイバチャネル）多重／分離（ＦＣ  ＭＸ）カード２１と、ＧｂＥ（Gigabit Ethernet）多重／分離（ＧｂＥ  ＭＸ）カード２２と、ＯＣ−４８多重／分離（ＯＣ−４８  ＭＸ）カード３３とを備えている。
【０００５】
ＦＣ多重／分離カード２１は、クライアント装置からのＦＣのプロトコルに基づくデータを割り当てられタイムスロットでＯＣ−４８多重／分離カード３３に送信し、ＯＣ−４８多重／分離カード３３からの信号の割り当てられたタイムスロットのデータを分離してＦＣのプロトコルのデータとしてクライアント装置に送信する。
【０００６】
ＧｂＥ多重／分離カード２２は、クライアント装置からのＧｂＥのプロトコルに基づくデータを割り当てられタイムスロットでＯＣ−４８多重／分離カード３３送信し、ＯＣ−４８多重／分離カード３３からの信号の割り当てられたタイムスロットのデータを分離してＧｂＥのプロトコルのデータとしてクライアント装置に送信する。
【０００７】
ＯＣ−４８多重／分離カード３３は、ＳＤＨフレーム多重／分離カードとして機能し、ＦＣ多重／分離カード２１およびＧｂＥ多重／分離カード２２から送信されてきたデータをＳＤＨフレームに多重してＳＯＮＥＴ／ＳＤＨ伝送路に送信し、ＳＯＮＥＴ／ＳＤＨ伝送路からの信号を受信して分離してＦＣ多重／分離カード２１およびＧｂＥ多重／分離カード２２にそれぞれ送信する。
【０００８】
ＯＣ−４８多重／分離カード３３からＳＯＮＥＴ／ＳＤＨ伝送路に送信されるＳＤＨフレームにおけるタイムスロット割り付けの一例を図８に示す。ただし、この図８に示したタイムスロット割り付けは一例にすぎない。タイムスロット割り付けは、設定によりどのようにも変更することができる。また、この図８はＯＣ−４８多重／分離カード３３側入力時のタイムスロット割り付けで、各サービスカードではそれぞれに割り当てられたタイムスロット部分しかデータが存在しない。それが多重されてＯＣ−４８多重／分離カード３３側ではタイムスロットが埋まっている。
【０００９】
このようにして構成されたサービス多重化装置１０1によれば、ＦＣのプロトコルに基づくデータの送受信を行うクライアント装置およびＧｂＥのプロトコルに基づくデータの送受信を行うクライアント装置をＳＯＮＥＴ／ＳＤＨ伝送路に接続することができる。しかし、クライアント装置には様々なプロトコルのデータの送受信を行うものがあるため、サービス多重化装置と各クライアント装置との間は、ギガビットイーサネットやファイバチャネル、ＥＳＣＯＮ、ＤＶＢ−ＡＳＩなどの様々なクライアントプロトコルにより接続される。そのため、サービス多重化装置には、接続するクライアント装置に応じたインタフェース手段を備える必要があり、様々なクライアント装置の接続を可能とするためにこのインタフェース手段はカードで差し替え可能になっている。
【００１０】
このような、サービス多重化装置の外観の一例を図９に示す。図９に示されるように、サービス多重化装置では、クライアント装置が使用しているプロトコルに合わせて各種のサービスカードを装着して使用することができるようになっている。
【００１１】
このようなサービス多重化装置では、多重するサービスのデータ伝送量の合計がＳＯＮＥＴ／ＳＤＨ伝送路の最大伝送容量である２．４Ｇｂｐｓを越えなければ多重化して送信することができる。しかし、例えば図９に示したようなサービス多重化装置では、サービスカードを装着するためのスロットの数であるスロット数が３であるため、スロット数以上のサービスカードを使用することができない。そのため、多重するサービスの伝送容量の合計が２．４Ｇｂｐｓに対して余裕がある場合であっても多重するサービスの数が限定されてしまうことになる。
【００１２】
クライアント装置が使用するサービスとしては、ファイバチャネル、ギガビットイーサネットのような大容量のサービスだけでなく容量の少ないサービスも存在する。例えば、１００Ｍｂｐｓの１００Ｍイーサネット、１０Ｍｂｐｓの１０Ｍイーサネット、２００ＭｂｐｓのＥＳＣＯＮ（Ｅｎｔｅｒｐｒｉｓｅ  Ｓｙｓｔｅｍ  Ｃｏｎｎｅｃｔ）、２７０ＭｂｐｓのＤＶＢ（Ｄｉｇｉｔａｌ  Ｖｉｄｅｏ  Ｂｒｏａｄｃａｓｔｉｎｇ）等がある。なお、ＥＳＣＯＮはＩＢＭ社の登録商標である。
【００１３】
このような容量の少ないサービスを多重化しようとする場合、サービス多重化装置１台のスロット数が少ないとシステム設計の自由度が低く効率的な伝送を行うことができない。また、サービス多重化装置１台あたりのスロット数をあまり多くするとサービス多重化装置１台あたりのコスト、容積が大きくなってしまい、スロット数が３で充分な場合には無駄な構成となってしまう。
【００１４】
そのため、１台のサービス多重化装置のスロット数を３程度にして、それ以上のスロット数が必要となる場合には複数のサービス多重化装置を組み合わせてスロット数を拡張することが要求される。
【００１５】
そこで、スロット数が限定されているサービス多重化装置を２台接続することができればスロット数を拡張することができる。図１０に従来構成の２つのサービス多重化装置８０1、８０2を接続させてスロット数を拡張したサービス多重化システムの構成を示す。
【００１６】
ここでは、サービス多重化装置８０1、８０2のスロット数はそれぞれＮ（ここでＮは、２、３、４、・・・となる２以上の自然数）であるものとして説明する。サービス多重化装置８０1には、ＦＣ多重／分離（ＦＣ  ＭＸ）カード３１1、ＧｂＥ多重／分離（ＧｂＥ  ＭＸ）カード３２1、・・・等のサービスカードが各スロットに装着されている。サービス多重化装置８０2には、ＦＣ多重／分離カード３１2、ＧｂＥ多重／分離（ＧｂＥ  ＭＸ）カード３２2、・・・等のサービスカードと、ＯＣ−４８多重／分離（ＯＣ−４８  ＭＸ）カード３３2とが各スロットに装着されている。
【００１７】
次に、図１０中のＦＣ多重／分離カード３１1の構成を図１１のブロック図に示す。このＦＣ多重／分離カード３１1は、ＦＣ処理部４３と、選択／分配部（ＳＥＬ／ＤＩＳ）４２1とから構成されている。また、ＦＣ処理部４３は、光送受信部（ＯＰＴ）５１と、ＦＣフレーム変換部（ＦＣ  ＦＲＭ  ＣＯＮＶ）５２と、ＧＦＰフレーム生成部（ＧＦＰ）５３と、ＳＴＭマッピング部（ＳＴＭ  ＭＡＰ）５４とから構成されている。また、選択／分配部４２1は、選択部（セレクタ：ＳＥＬ）５５と、分配部（ＤＩＳ）５６とから構成されている。
【００１８】
次に、図１０中のＧｂＥ多重／分離カード３２1の構成を図１２のブロック図に示す。このＧｂＥ多重／分離カード３２1は、ＧｂＥ処理部４４と、選択／分配部（ＳＥＬ／ＤＩＳ）４２2とから構成されている。また、ＧｂＥ処理部４４は、光送受信部（ＯＰＴ）６１と、ＧｂＥ  ＭＡＣ  物理レイヤ変換部（ＧｂＥＭＡＣ  ＰＨＹ）６２と、ＧＦＰフレーム生成部（ＧＦＰ）６３と、ＳＴＭマッピング部（ＳＴＭ  ＭＡＰ）６４とから構成されている。また、選択／分配部４２2は、選択部（セレクタ：ＳＥＬ）６５と、分配部（ＤＩＳ）６６とから構成されている。
【００１９】
さらに、図１０中のＯＣ−４８多重／分離カード３３2の構成を図１３のブロック図に示す。このＯＣ−４８多重／分離カード３３2は、ＳＯＮＥＴ処理部４１と、Ｎ：１タイムスロット選択／分配部（ＳＥＬ／ＤＩＳ）４０とから構成されている。また、ＳＯＮＥＴ処理部４１は、光送受信部（ＯＰＴ）７１と、ＳＤＨフレーム生成部（ＳＤＨ  ＦＲＭ）７２と、ＳＤＨフレーム受信部（ＳＤＨ  ＴＲＭ）７３とから構成されている。また、Ｎ：１タイムスロット選択／分配部４０は、Ｎ：１タイムスロット分配部（ＤＩＳ）４５と、Ｎ：１タイムスロット選択部（ＳＥＬ：セレクタ）４６とから構成されている。
【００２０】
図１０に示したような接続では、サービス多重化装置８０1に装着されているサービスカード３１1、３２1、３１3等とサービス多重化装置８０2に装着されているＯＣ−４８多重／分離カード３３2との間の接続は、それぞれ２．４Ｇｂｐｓ／Ｎとなってしまう。例えば、サービス多重化装置１台あたりのスロット数が３の場合には、２．４／３＝０．８Ｇｂｐｓとなってしまう。そのため、図１０に示すような接続では、サービス多重化装置８０1のＦＣ多重／分離カード３１1からサービス多重化装置１０2のＯＣ−４８多重／分離カード３３2に２．４Ｇｂｐｓのデータを転送することができない。
【００２１】
２つのサービス多重化装置８０1、８０2の間の伝送ケーブルの伝送容量を２．４Ｇｂｐｓ×Ｎとすればこのような問題を解決することができる。しかし、伝送ケーブルの伝送容量を増加させるとコスト、スペースの増加を招くことにもなってしまう。さらに、このような接続とした場合には、サービス多重化装置１台あたりのスロット数が多くなればなるほど伝送ケーブルの伝送容量を増大させなければならず現実的ではない。
【００２２】
ＳＯＮＥＴ／ＳＤＨシステムの網構成として、高速・大容量な伝送が可能であるとともに柔軟性を備えた光分岐挿入(ＡＤＭ：Add/Drop Multiplex)リングシステムが用いられている。このＡＤＭリングシステムは、図１４に示すように、ＡＤＭリングネットワーク９０と呼ばれるリング型の広帯域伝送路と、このリング型の広帯域伝送路から低速回線を取り出したり追加する際に使われるＡＤＭ装置９１〜９３とから構成されている。ＡＤＭリングシステムを構成するために設計されたＡＤＭ装置９１〜９３は一般的にコストが高い。従って、サービス多重化装置をＡＤＭ装置として用いることができればシステムのコストを削減することができる。例えば、図１４に示すように、複数のサービス多重化装置により構成されたサービス多重化装置９４をＡＤＭ装置としてＡＤＭリングネットワーク９０に接続することが可能であればＡＤＭ装置を安価に実現することができる。
【００２３】
従来のサービス多重化装置８０1、８０2を用いてＡＤＭ装置を構成した場合のブロック図を図１５に示す。図１５において、図１中の構成要素と同一の構成要素には同一の符号を付し、説明を省略するものとする。ただし、図１５では、サービス多重化装置８０1には、ＦＣ多重／分離カード３１3の替わりにＯＣ−４８多重／分離カード３３1が装着されている。
【００２４】
図１５に示したような接続では、図１０に示した構成の場合と同様に、サービス多重化装置８０1に装着されているサービスカード３１1、３２1等とサービス多重化装置８０2に装着されているＯＣ−４８多重／分離カード３３2との間の接続、サービス多重化装置８０2に装着されているサービスカード３１2、３２2等とサービス多重化装置８０1に装着されているＯＣ−４８多重／分離カード３３1との間の接続、およびＯＣ−４８多重／分離カード３３1とＯＣ−４８多重／分離カード３３2との間の接続は、それぞれ２．４Ｇｂｐｓ／（２Ｎ−１）となってしまう。例えば、サービス多重化装置１台あたりのスロット数が３の場合には、２．４／５＝０．４８Ｇｂｐｓとなってしまう。そのため、図１５に示すような接続では、サービス多重化装置８０1のＦＣ多重／分離カード３１1からサービス多重化装置１０2のＯＣ−４８多重／分離カード３３2に２．４Ｇｂｐｓのデータを転送することができない。
【００２５】
このような場合にも、２つのサービス多重化装置８０1、８０2の間の伝送ケーブルの伝送容量を２．４Ｇｂｐｓ×（２Ｎ−１）とすればこのような問題を解決することができる。しかし、上述したのと同様の理由により現実的ではない。
【００２６】
【発明が解決しようとする課題】
上述した従来のサービス多重化装置およびサービス多重化方法では、装置間を接続する伝送ケーブルの容量を増やさずに複数の装置を接続して、スロット数を拡張したり、ＡＤＭ装置を実現することができないという問題点があった。
【００２７】
本発明の目的は、装置間を接続する伝送ケーブルの容量を増加させることなく複数の装置を接続してスロット数を拡張したり光分岐挿入（ＡＤＭ）装置を構成することが可能なサービス多重化装置を用いた、光分岐挿入装置を提供することである。
【００３４】
【課題を解決するための手段】
本発明の光分岐挿入装置は、相互に伝送ケーブルにより接続された少なくとも２台のサービス多重化装置から構成される光分岐挿入装置であって、各サービス多重化装置は、複数のクライアント装置のデータプロトコルにそれぞれ対応した複数のサービスカードが装着され、Ｎは２以上の自然数であるとして、前記各サービス多重化装置は、各クライアント装置からのデータをサービスカードから受信して所定のフレームに多重化して伝送する手段と、多重化されて伝送されてきた所定のフレームの信号を分離して各クライアント装置に伝送する手段と、装着された合計Ｎ台のサービスカードおよびフレーム多重／分離カードからのデータを、予め割り付けられたタイムスロットで選択することにより多重化して伝送ケーブルにより接続された他方のサービス多重化装置に送信し、他方のサービス多重化装置から受信したデータを予め割り付けられたタイムスロット毎に分配して、Ｎ台の複数のサービスカードおよびフレーム多重／分離カードにそれぞれ送信するＮ：１タイムスロット選択／分配手段と、を備えたことを特徴とする。
【００３５】
本発明の光分岐挿入装置（ＡＤＭ装置）では、サービス多重化装置のそれぞれにＮ：１タイムスロット選択／分配手段が備えられ、さらにサービス多重化装置にはそれぞれフレーム多重／分離カードが装着されているため、サービス多重化装置間を接続する伝送ケーブルの伝送容量を増やさずに２台のサービス多重化装置を接続することができる。従って、ＡＤＭ装置を実現することができ、ＡＤＭ装置を安価に構成してＡＤＭリングシステムのコストを削減することができる。
【００３８】
さらに、本発明の他の光分岐挿入装置は、相互に伝送ケーブルにより接続された複数のサービス多重化装置から構成される光分岐挿入装置であって、各サービス多重化装置は、複数のクライアント装置のデータプロトコルにそれぞれ対応した複数のサービスカードが装着され、各クライアント装置からのデータをサービスカードから受信して所定のフレームに多重化して伝送する手段と、多重化されて伝送されてきた所定のフレームの信号を分離して各クライアント装置に伝送する手段と、を備え、Ｎは２以上の自然数であるとして、複数のサービス多重化装置のうちの少なくとも２台のサービス多重化装置は、それぞれ装着された合計Ｎ台のサービスカードおよびフレーム多重／分離カードからのデータを、予め割り付けられたタイムスロットで選択することにより多重化して伝送ケーブルにより接続された他方のサービス多重化装置に送信し、他方のサービス多重化装置から受信したデータを予め割り付けられたタイムスロット毎に分配して、Ｎ台の複数のサービスカードおよびフレーム多重／分離カードにそれぞれ送信するＮ×（Ｍ−１）切り替え手段を備え、複数のサービス多重化装置のうちの残りのサービス多重化装置は、装着されたＮ台のサービスカードからのデータを、予め割り付けられたタイムスロットで選択することにより多重化して伝送ケーブルにより接続された他のサービス多重化装置に送信し、他のサービス多重化装置から受信したデータを予め割り付けられたタイムスロット毎に分配して、Ｎ台の複数のサービスカードにそれぞれ送信するＮ×（Ｍ−１）切り替え手段を備えたことを特徴とする。
【００３９】
本発明のサービス多重化システムでは、各サービス多重化装置には、Ｎ×（Ｍ−１）切り替え手段が備えられ、さらに少なくとも２台のサービス多重化装置にはフレーム多重／分離カードが装着されているため、サービス多重化装置間を接続する伝送ケーブルの伝送容量を増やさずにＭ台のサービス多重化装置を接続することができる。従って、ＡＤＭ装置を実現することができ、ＡＤＭ装置を安価に構成してＡＤＭリングシステムのコストを削減することができる。
【００４０】
また、前記所定のフレームはＳＤＨフレームであってもよいし、前記フレーム多重／分離カードはＯＣ−４８多重／分離カードであってもよい。
【００４１】
【発明の実施の形態】
次に、本発明の実施の形態について図面を参照して詳細に説明する。
【００４２】
（第１の実施形態）
図１は本発明の第１の実施形態のサービス多重化システムの構成を示すブロック図である。図１において、図１０中の構成要素と同一の構成要素には同一の符号を付し、説明を省略するものとする。
【００４３】
図１では、本実施形態のサービス多重化システムは、２台のサービス多重化装置１1、１2が２．４Ｇｂｐｓの伝送ケーブルにより接続されている。
【００４４】
図１に示すように、サービス多重化装置１1は、図１０に示した従来のサービス多重化装置８０1に対して共通部２1が追加された構成となっている。また、サービス多重化装置１2も同様に、図１０に示した従来のサービス多重化装置８０2に対して共通部２2が追加された構成となっている。また、共通部２1には、Ｎ：１タイムスロット選択／分配部（ＳＥＬ／ＤＩＳ）３1が設けられている。また、共通部２2には、同様にＮ：１タイムスロット選択／分配部（ＳＥＬ／ＤＩＳ）３2が設けられている。ここでＮは、２、３、４、・・・となる２以上の自然数である。
【００４５】
Ｎ：１タイムスロット選択／分配部３1、３2は、それぞれＯＣ−４８多重／分離カード３３2に設けられているＮ：１タイムスロット選択／分配部４０等と同様な構成となっており、接続されたサービスカードおよびＯＣ−４８多重／分離カード等からのデータを、例えば図８に示したように割り付けられたタイムスロットで多重化して２．４Ｇｂｐｓのデータとする。また、Ｎ：１タイムスロット選択／分配部３1、３2は、図８に示したようなタイムスロットが割り付けられたデータを分配して、各サービスカードおよびＯＣ−４８多重／分離カードにそれぞれ送信する。
【００４６】
Ｎ：１タイムスロット選択／分配部３1は、ＦＣ多重／分離カード３１1、３１3、ＧｂＥ多重／分離カード３２1からのデータを、予め割り付けられたタイムスロットで選択することにより２．４Ｇｂｐｓのデータに多重化してサービス多重化装置１2に送信し、サービス多重化装置１2から受信した２．４Ｇｂｐｓのデータを予め割り付けられたタイムスロット毎に分配して、ＦＣ多重／分離カード３１1、３１3、ＧｂＥ多重／分離カード３２1にそれぞれ送信する。
【００４７】
Ｎ：１タイムスロット選択／分配部３2は、ＦＣ多重／分離カード３１2、ＧｂＥ多重／分離カード３２2、ＯＣ−４８多重／分離カード３３2からのデータを、予め割り付けられたタイムスロットで選択することにより２．４Ｇｂｐｓのデータに多重化してサービス多重化装置１1に送信し、サービス多重化装置１1から受信した２．４Ｇｂｐｓのデータを予め割り付けられたタイムスロット毎に分配して、ＦＣ多重／分離カード３１2、ＧｂＥ多重／分離カード３２2、ＯＣ−４８多重／分離カード３３2にそれぞれ送信する。
【００４８】
本実施形態のサービス多重化装置を用いたシステムの実現内容を図２に示す。図２に示されるように、本実施形態によれば、ＯＣ−４８多重／分離カード３３2と、ＦＣ多重／分離カード３１1、３１2、・・、ＧｂＥ多重／分離カード３２1、３２2、・・等のサービス多重化装置１1、１2に装着されている全てのサービスカードとが、Ｎ：１タイムスロット選択／分配部３1、３2を介して２．４Ｇｂｐｓの伝送路で接続されているような形態となっている。
【００４９】
本実施形態によれば、接続するサービス多重化装置１1、１2にはそれぞれＮ：１タイムスロット選択／分配部３1、３2がそれぞれ備えられているため、サービス多重化装置１1とサービス多重化装置１2との間を接続する伝送ケーブルの伝送容量が２．４Ｇｂｐｓのままでも、２台のサービス多重化装置１1、１2を接続してスロット数を拡張することができる。
【００５０】
サービス多重化装置１台あたりのスロット数をＮとした場合、従来のサービス多重化装置では、ＯＣ−４８多重／分離カードを装着するスロットを除いたＮ−１スロットしか、サービスカードを装着するためのスロットとして使用することができなかった。これに対して本実施形態のサービス多重化装置によれば、２Ｎ−１スロットをサービスカードを装着するためのスロットとして使用することができる。
【００５１】
（第２の実施形態）
次に、本発明の第２の実施形態のサービス多重化装置について説明する。図３は本発明の第２の実施形態のサービス多重化装置の構成を示すブロック図である。図３において、図１中の構成要素と同一の構成要素には同一の符号を付し、説明を省略するものとする。
【００５２】
本実施形態は、ＡＤＭ装置を２台のサービス多重化装置１1、１2により構成したものである。本実施形態におけるサービス多重化装置１1では、図１に示したサービス多重化装置１1に対してＦＣ多重／分離カード３１3の替わりにＯＣ−４８多重／分離カード３３1が装着されている。
【００５３】
本実施形態のサービス多重化装置を用いたシステムの実現内容を図４に示す。図４に示されるように、本実施形態によれば、ＯＣ−４８多重／分離カード３３1、３３2と、ＦＣ多重／分離カード３１1、３１2、・・、ＧｂＥ多重／分離カード３２1、３２2、・・等のサービス多重化装置１1、１2に装着されている全てのサービスカードとが、Ｎ：１タイムスロット選択／分配部２1、２2を介して２．４Ｇｂｐｓの伝送路で接続されているような形態となっている。
【００５４】
尚、図４に示されるＡＤＭ装置の構成において、一見して配線のみを参照すると２台のサービス多重化装置１1、１2間では２．４×２Ｇｂｐｓの伝送容量が必要となるように見えるが、同一スロットの送受でＳＤＨでタイムスロットの割り当てが決まっているため、Ａｄｄ（挿入）した分は必ず同一スロットからのＤｒｏｐ（分岐）となるので、２台のサービス多重化装置１1、１2間は２．４Ｇｂｐｓの伝送容量があれば足りる。
【００５５】
本実施形態によれば、接続するサービス多重化装置１1、１2にはそれぞれＮ：１タイムスロット選択／分配部３1、３2がそれぞれ備えられているため、サービス多重化装置１1とサービス多重化装置１2との間を接続する伝送ケーブルの伝送容量を２．４Ｇｂｐｓのままでも、２台のサービス多重化装置１1、１2を接続してＡＤＭ装置を実現することができる。そのため、ＡＤＭ装置を安価に実現してＡＤＭリングシステムのコスト削減を図ることができる。
【００５６】
尚、本実施形態のサービス多重化装置により構成されたＡＤＭ装置は、サービス多重化装置１台のスロット数をＮとした場合、２Ｎ−２スロットをサービスカードを装着するためのスロットとして使用することができる。
【００５７】
（第３の実施形態）
次に、本発明の第３の実施形態のサービス多重化装置について説明する。図５は本発明の第３の実施形態のサービス多重化装置の構成を示すブロック図である。図５において、図１、図３中の構成要素と同一の構成要素には同一の符号を付し、説明を省略するものとする。
【００５８】
上記第２の実施形態は、２台のサービス多重化装置１1、１2を用いてＡＤＭ装置を構成したものであったが、本実施形態は、Ｍ台（ここでＭは、２、３、４、・・・となる２以上の自然数）のサービス多重化装置１５1〜１５Mを用いてＡＤＭ装置を構成するようにしたものである。
【００５９】
サービス多重化装置１５1は、Ｎ−１台のサービスカードと、ＯＣ−４８多重／分離カード３３1と、共通部１６1とから構成されている。また、共通部１６1には、Ｎ×（Ｍ−１）スイッチ（Ｎ×（Ｍ−１）  ＳＷ）１７1が備えられている。サービス多重化装置１５2も同様に、Ｎ−１台のサービスカードと、ＯＣ−４８多重／分離カード３３2と、共通部１６2とから構成されている。また、共通部１６2には、Ｎ×（Ｍ−１）スイッチ（Ｎ×（Ｍ−１）  ＳＷ）１７2が備えられている。
【００６０】
そして、残りのサービス多重化装置１５3〜１５Mは、それぞれＮ台のサービスカードと、共通部１６3〜１６Mとから構成されている。さらに、共通部１６3〜１６Mには、それぞれＮ×（Ｍ−１）スイッチ１７3〜１７Mが備えられている。
【００６１】
Ｎ×（Ｍ−１）スイッチ１７1は、Ｎ×（Ｍ−１）切り替え手段として機能し、装着されたＮ台のサービスカードおよびＯＣ−４８多重／分離カード３３1からのデータを、それぞれ予め割り付けられたタイムスロットで選択することによりＭ−１本の２．４Ｇｂｐｓのデータに多重化して伝送ケーブルにより接続されたＭ−１台の他のサービス多重化装置１５2〜１５Mに送信し、Ｍ−１台の他のサービス多重化装置１５2〜１５Mから受信した２．４ＧｂｐｓのＭ−１本のデータを予め割り付けられたタイムスロット毎に分配して、装着されたＮ台のサービスカードおよびＯＣ−４８多重／分離カード３３1にそれぞれ送信する。つまり、Ｎ×（Ｍ−１）スイッチ１７1は、図１に示したＮ：１タイムスロット選択／分配部３1をＭ−１台集めたような構成となっている。
【００６２】
また、Ｎ×（Ｍ−１）スイッチ１７2〜１７Mも、それぞれＮ×（Ｍ−１）スイッチ１７1と同様な構成および動作を行うためのその説明は省略する。
【００６３】
本実施形態によれば、各サービス多重化装置１５1〜１５Mには、それぞれＮ×（Ｍ−１）スイッチ１７1〜１７Mが設けられているため、サービス多重化装置間を接続する伝送ケーブルの伝送容量はそれぞれ２．４ＧｂｐｓのままでＭ台のサービス多重化装置１５1〜１５Mを接続することができる。
【００６４】
本実施形態により構成されたＡＤＭ装置では、Ｍ台のサービス多重化装置の総スロット数Ｎ×ＭからＯＣ−４８多重／分離カード３３1、３３2を装着したスロットを除いたＮ×Ｍ−２スロットを、サービスカードを装着して使用することができる。
【００６５】
本実施形態では、Ｍ台のサービス多重化装置１５1〜１５Mを用いてＡＤＭ装置を構成するようにしたものであるが、このＭ台のサービス多重化装置１５1〜１５Mを接続して、いずれか１つのサービス多重化装置のみにＯＣ−４８多重／分離カードを装着するようにすれば、サービスカードを接続するために使用することができるスロット数をＭ×Ｎ−１まで拡張したサービス多重化システムを構成することができる。
【００６６】
上記第１から第３の実施形態では、クライアント装置のデータプロトコルに対応したサービスカードとして、ＦＣ多重／分離カード３１1〜３１3、ＧｂＥ多重／分離カード３２1、３２2等を用いて説明したが、このようなサービスカード以外にも、クライアント装置のデータプロトコルに対応したサービスカードをサービス多重化装置に装着すれば様々なクライアント装置との接続が可能である。
【００６７】
【発明の効果】
以上説明したように、本発明によれば、装置間を接続する伝送ケーブルの容量を増加させることなく複数の装置を接続して、スロット数を拡張したりＡＤＭ装置を構成することが可能となるという効果を得ることができる。
【図面の簡単な説明】
【図１】本発明の第１の実施形態のサービス多重化装置の構成を示すブロック図である。
【図２】本発明の第１の実施形態の多重化装置を用いたシステムの実現内容を示す図である。
【図３】本発明の第２の実施形態のサービス多重化装置の構成を示すブロック図である。
【図４】本発明の第２の実施形態の多重化装置を用いたシステムの実現内容を示す図である。
【図５】本発明の第３の実施形態のサービス多重化装置の構成を示すブロック図である。
【図６】ＳＯＮＥＴ／ＳＤＨネットワークを構成するシステムの一例を示す図である。
【図７】従来のサービス多重化装置１０1の構成を示すブロック図である。
【図８】ＳＤＨフレームにおけるタイムスロット割付を示す図である。
【図９】サービス多重化装置の一例を示す外観図である。
【図１０】従来構成の２つのサービス多重化装置８０1、８０2を接続させてスロット数を拡張した場合の構成を示すブロック図である。
【図１１】図１０中のＦＣ多重／分離カード３１1の構成を示すブロック図である。
【図１２】図１０中のＧｂＥ多重／分離カード３２1の構成を示すブロック図である。
【図１３】図１０中のＯＣ−４８多重／分離カード３３2の構成を示すブロック図である。
【図１４】ＡＤＭリングの構成を示す図である。
【図１５】従来構成の２つのサービス多重化装置１０1、１０2を接続させてＡＤＭ装置を構成した場合の構成を示すブロック図である。
【符号の説明】
１1、１2    サービス多重化装置
２1、２2    共通部
３1、３2    Ｎ：１タイムスロット選択／分配部
１０1、１０2    サービス多重化装置
１５1〜１５M    サービス多重化装置
１６1〜１６M    共通部
１７1〜１７M    Ｎ×（Ｍ−１）スイッチ（Ｎ×（Ｍ−１）  ＳＷ）
２０1、２０2    クライアント装置
２１    ＦＣ多重／分離（ＦＣ  ＭＸ）カード
２２    ＧｂＥ多重／分離（ＧｂＥ  ＭＸ）カード
３１、３１1〜３１3    ＦＣ多重／分離（ＦＣ  ＭＸ）カード
３２、３２1、３２2    ＧｂＥ多重／分離（ＧｂＥ  ＭＸ）カード
３３、３３1、３３2    ＯＣ−４８多重／分離（ＯＣ−４８  ＭＸ）カード
４０    Ｎ：１タイムスロット選択／分配部
４１    ＳＯＮＥＴ処理部
４２1、４２2    選択／分配部（ＳＥＬ／ＤＩＳ）
４３    ＦＣ処理部
４５    Ｎ：１タイムスロット分配部（Ｎ：１タイムスロットＤＩＳ）
４６    Ｎ：１タイムスロット選択部（Ｎ：１タイムスロットＳＥＬ）
５１      光送受信部（ＯＰＴ）
５２    ＦＣフレーム変換部（ＦＣ  ＦＲＭ  ＣＯＮＶ）
５３    ＧＦＰフレーム生成部（ＧＦＰ）
５４      ＳＴＭマッピング部    （ＳＴＭ  ＭＡＰ）
５５    選択部（ＳＥＬ）
５６    分配部（ＤＩＳ）
６１      光送受信部（ＯＰＴ）
６２    ＧｂＥ  ＭＡＣ  物理レイヤ変換部（ＧｂＥ  ＭＡＣ  ＰＨＹ）
６３    ＧＦＰフレーム生成部（ＧＦＰ）
６４      ＳＴＭマッピング部（ＳＴＭ  ＭＡＰ）
６５    選択部（ＳＥＬ）
６６    分配部（ＤＩＳ）
７１      光送受信部（ＯＰＴ）
７２    ＳＤＨフレーム生成部（ＳＤＨ  ＦＲＭ）
７３    ＳＤＨフレーム受信部（ＳＤＨ  ＴＲＭ）
８０1、８０2    サービス多重化装置
９０    ＡＤＭリングネットワーク
９１〜９３    ＡＤＭ装置
９４    サービス多重化装置
【図１】
0003888440.tif 000002
【図２】
0003888440.tif 000003
【図３】
0003888440.tif 000004
【図４】
0003888440.tif 000005
【図５】
0003888440.tif 000006
【図６】
0003888440.tif 000007
【図７】
0003888440.tif 000008
【図８】
0003888440.tif 000009
【図９】
0003888440.tif 000010
【図１０】
0003888440.tif 000011
【図１１】
0003888440.tif 000012
【図１２】
0003888440.tif 000013
【図１３】
0003888440.tif 000014
【図１４】
0003888440.tif 000015
【図１５】
0003888440.tif 000016